(57)【要約】【課題】放送受信装置、録画装置、及び録画予約番組の録画方法において、自装置が録画予約番組の情報を保持して録画機器を制御し、録画予約番組を録画機器に録画させる際のユーザによる操作の手間を低減する。【解決手段】ＴＶ受像機は、録画予約番組の放送が開始されると（Ｓ１１）、同時に録画可能な最大の番組数のＴＶ番組を既に録画中であるか否かを判断し（Ｓ１２）、最大の番組数を既に録画中である場合（Ｓ１３でＹＥＳ）、ＢＤレコーダに＜Ｒｅｃｏｒｄ  Ｏｎ＞コマンドを送信する（Ｓ１４）。ＢＤレコーダは、＜Ｒｅｃｏｒｄ  Ｏｎ＞コマンドを受信すると、録画予約番組の録画を開始する（Ｓ１５）。そして、ＴＶ受像機は、録画予約番組の放送終了時刻になったときに、＜Ｒｅｃｏｒｄ  Ｏｆｆ＞コマンドをＢＤレコーダに送信し（Ｓ１６）、ＢＤレコーダが、録画予約番組の録画を停止する（Ｓ１７）。【選択図】図５
2014123828.tif 000002
【特許請求の範囲】
【請求項１】
録画予約番組の放送開始時刻と放送終了時刻を記憶する記憶手段と、
前記記憶手段に記憶された前記録画予約番組の放送開始時刻に該録画予約番組の録画の開始を指示するための録画開始コマンドを録画装置に送信した後、前記記憶手段に記憶された前記録画予約番組の放送終了時刻に該録画予約番組の録画の停止を指示するための録画停止コマンドを前記録画装置に送信するように制御する送信制御手段とを備える放送受信装置。
【請求項２】
前記録画装置が起動しているかどうかを確認する確認手段と、
前記確認手段により前記録画装置が起動していないと確認されたときに、前記録画予約番組の前記放送開始時刻を前記録画装置の起動時間に基づいて補正する補正手段とをさらに備えることを特徴とする請求項１に記載の放送受信装置。
【請求項３】
前記録画装置を起動するための起動コマンドを前記録画装置に送信した後、前記録画装置が起動状態であるか否かを確認するための起動確認コマンドを前記録画装置に送信し、前記起動コマンドの送信後から前記起動確認コマンドにより前記録画装置の起動状態を確認するまでの時間を測定することにより、前記録画装置の起動時間を取得することを特徴とする請求項２に記載の放送受信装置。
【請求項４】
放送局から受信した番組を録画媒体に録画させる録画手段と、
前記録画手段が前記録画予約番組を前記録画媒体に録画できるか否かを判断する判断手段とをさらに備え、
前記送信制御手段は、前記判断手段によって前記録画予約番組を録画できないと判断された場合に、前記録画開始コマンド及び前記録画停止コマンドを前記録画装置に送信するように制御することを特徴とする請求項１乃至３のいずれか一項に記載の放送受信装置。
【請求項５】
前記録画手段は、放送局から受信した複数の番組を前記録画媒体に同時に録画でき、
前記判断手段は、前記録画手段が同時に録画可能な最大の番組数の番組を既に録画中である場合に、該録画予約番組を録画できないと判断することを特徴とする請求項４に記載の放送受信装置。
【請求項６】
前記送信制御手段によって前記録画開始コマンド及び前記録画停止コマンドが前記録画装置に送信されたときに、前記録画予約番組が該録画装置に録画された旨を報知する報知手段をさらに備えることを特徴とする請求項１乃至５のいずれか一項に記載の放送受信装置。
【請求項７】
前記録画開始コマンドは、ＨＤＭＩ−ＣＥＣの＜Ｒｅｃｏｒｄ  Ｏｎ＞コマンドであり、
前記録画停止コマンドは、ＨＤＭＩ−ＣＥＣの＜Ｒｅｃｏｒｄ  Ｏｆｆ＞コマンドであることを特徴とする請求項１乃至６のいずれか一項に記載の放送受信装置。
【請求項８】
前記送信制御手段は、前記録画装置が前記録画開始コマンドに対応していない場合、前記記憶手段に記憶された前記録画予約番組の放送開始時刻に、該録画予約番組の選局を指示するための選局指示送信コマンドと、該録画予約番組の録画の開始を指示するためのリモコンコードに対応する第１送信コマンドとを前記録画装置に送信した後、前記記憶手段に記憶された前記録画予約番組の放送終了時刻になったときに、該録画予約番組の録画の停止を指示するためのリモコンコードに対応する第２送信コマンドを前記録画装置に送信するように制御することを特徴とする請求項１乃至７のいずれか一項に記載の放送受信装置。
【請求項９】
請求項１乃至８のいずれか一項に記載の放送受信装置から送信された前記録画開始コマンド及び前記録画停止コマンドを受信する受信手段と、
放送局から受信した複数の番組を録画装置側の録画媒体に録画する録画装置側の録画手段と、
前記録画装置側の録画手段に番組の録画を指示する録画指示操作手段とを備え、
前記録画装置側の録画手段は、前記録画指示操作手段によって録画を指示された番組を録画中に、前記放送受信装置から送信された前記録画開始コマンドが前記受信手段によって受信されると、該録画開始コマンドで録画の開始を指示された番組の録画をさらに開始した後、前記放送受信装置から送信された前記録画停止コマンドが前記受信手段によって受信されると、前記録画指示操作手段によって録画を指示された番組の録画を停止せず、前記録画開始コマンドによって録画を開始した番組の録画を停止することを特徴とする録画装置。
【請求項１０】
前記録画装置側の録画手段は、前記録画開始コマンドによって録画を開始した番組の数と同じ数の前記録画停止コマンドを前記受信手段が受信するのを待って、前記録画開始コマンドによって録画を開始した全ての番組の録画を停止することを特徴とする請求項９に記載の録画装置。
【請求項１１】
録画予約番組の放送開始時刻と放送終了時刻を記憶する記憶ステップと、
録画装置を起動させるために必要な起動時間を取得する取得ステップと、
前記記憶ステップで記憶された前記録画予約番組の放送開始時刻から前記起動時間を減じた時刻になったときに、該録画予約番組の録画の開始を指示するための録画開始コマンドを前記録画装置に送信した後、前記記憶ステップで記憶された前記録画予約番組の放送終了時刻になったときに、該録画予約番組の録画の停止を指示するための録画停止コマンドを前記録画装置に送信するように制御する送信制御ステップとを備える録画予約番組の録画方法。
【発明の詳細な説明】
【技術分野】
【０００１】
本発明は、放送受信装置、録画装置、及び録画予約番組の録画方法に関する。
【背景技術】
【０００２】
近年、地上デジタルテレビ放送の配信が開始されている。地上デジタルテレビ放送では、映像と音声に加えて様々なデータがコンテンツとして配信されている。これを利用したサービスの１つにＥＰＧ（電子番組表）がある。ＥＰＧには、今後放送される予定のテレビジョン（以下、ＴＶという）番組の情報が格納されており、ＴＶ受像機にＥＰＧを表示させることにより、今後放送される予定のＴＶ番組の情報をユーザに提供することができる。
【０００３】
ところで、ユーザは、ＴＶ受像機に表示されたＥＰＧ内のＴＶ番組の中から、任意のＴＶ番組の録画予約を指示したい場合がある。しかしながら、ＴＶ受像機に録画機能がない等の理由により、ＴＶ受像機に接続されたブルーレイ（以下、ＢＤという）レコーダ等の外部録画装置に録画予約を行う場合がある。その場合、ユーザは、外部録画装置を操作して、外部録画装置にＥＰＧを表示させた後、そのＥＰＧの中から任意のＴＶ番組を選択して録画予約の指示を行わなければならない。このように、ユーザは、ＴＶ受像機でＥＰＧを視認しているにも係らず、外部録画装置で再度ＥＰＧを表示させて録画予約の操作を行う必要があるため、操作が煩わしいという問題がある。
【０００４】
上記問題を解決するために、ＴＶ受像機からＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）ケーブルで接続された外部録画装置を制御することが可能となるＨＤＭＩ−ＣＥＣ（Ｃｏｎｓｕｍｅｒ  Ｅｌｅｃｔｒｏｎｉｃｓ  Ｃｏｎｔｒｏｌ）を使用する方法が知られている。ＣＥＣ機能の中には電源連動、入力切換、接続中のデバイスの管理、及びリモコンコードのパススルー等の機能がある。ＣＥＣ機能を用いることにより、ユーザは、ＴＶ受像機のリモコン装置を操作するだけで外部録画装置の制御が可能となる。
【０００５】
図１５は、ＨＤＭＩ−ＣＥＣの各メッセージ（以下、コマンドという）の大まかな分類を示す。Ｐｏｗｅｒ系、操作系、選局系、要求系、及び通知系のコマンドは、ＣＥＣ対応デバイスであればメーカーや機器のモデルに関係なく使用できるコマンドである。特殊系のコマンドは、ＣＥＣ対応デバイスであってもメーカーや機器のモデルが異なると使用できないコマンドである。
【０００６】
ＣＥＣコマンドの各分類には、例えば、以下のものがある。Ｐｏｗｅｒ系・・・デバイスをスタンバイに移行させるための＜Ｓｔａｎｄｂｙ＞コマンド。操作系・・・リモコンコードを送信するための＜Ｕｓｅｒ  Ｃｏｎｔｒｏｌ  Ｐｒｅｓｓｅｄ＞コマンド、録画を開始するための＜Ｒｅｃｏｒｄ  Ｏｎ＞コマンド、録画の予約を他のデバイスに受け渡すための＜Ｓｅｔ  Ｄｉｇｉｔａｌ  Ｔｉｍｅｒ＞コマンド。選局系・・・アクティブな機器を決定するための＜Ａｃｔｉｖｅ  Ｓｏｕｒｃｅ＞コマンド、アクティブな機器を指定するための＜Ｓｅｔ  Ｓｔｒｅａｍ  Ｐａｔｈ＞コマンド。要求系・・・物理アドレスを要求するための＜Ｇｉｖｅ  Ｐｈｙｓｉｃａｌ  Ａｄｄｒｅｓｓ＞コマンド、デバイスの名前を要求するための＜Ｇｉｖｅ  ＯＳＤ  Ｎａｍｅ＞コマンド。通知系・・・物理アドレスを通知するための＜Ｒｅｐｏｒｔ  Ｐｈｙｓｉｃａｌ  Ａｄｄｒｅｓｓ＞コマンド、デバイスの名前を通知するための＜Ｓｅｔ  ＯＳＤ  Ｎａｍｅ＞コマンド。
【０００７】
ＴＶ受像機から外部録画装置に、ＴＶ番組の録画予約を指示する場合、一般的には、操作系に属する＜Ｓｅｔ  Ｄｉｇｉｔａｌ  Ｔｉｍｅｒ＞コマンドを使用する。ところで、操作系のコマンドは、対応しているデバイスが多い順に並べると、＜Ｕｓｅｒ  Ｃｏｎｔｒｏｌ  Ｐｒｅｓｓｅｄ＞コマンド、＜Ｒｅｃｏｒｄ  Ｏｎ＞コマンド、＜Ｓｅｔ  Ｄｉｇｉｔａｌ  Ｔｉｍｅｒ＞コマンドの順になる。このように、＜Ｓｅｔ  Ｄｉｇｉｔａｌ  Ｔｉｍｅｒ＞コマンドに対応しているデバイスが少ないため、＜Ｓｅｔ  Ｄｉｇｉｔａｌ  Ｔｉｍｅｒ＞コマンドを使用したとしても、ユーザが意図したＴＶ番組の録画予約が行えない場合がある。例えば、ＴＶ受像機は３ヵ月後まで録画予約可能だが、外部録画装置は１ヶ月先までしか録画予約ができない場合に、ＴＶ受像機が外部録画装置に対して、２ヶ月先の日付を指定して録画予約を行おうとしても外部録画装置は対応できない。このような場合、＜Ｓｅｔ  Ｄｉｇｉｔａｌ  Ｔｉｍｅｒ＞コマンドを使用したとしても、外部録画装置は、ユーザが意図したＴＶ番組の録画予約を行えない。
【０００８】
さらに、近年、製造メーカーや発売時期によって、多種多様な録画予約機能が搭載された製品が販売されているため、ＴＶ受像機が、＜Ｓｅｔ  Ｄｉｇｉｔａｌ  Ｔｉｍｅｒ＞コマンドを使用して、外部録画装置に録画予約を指示（依頼）したとしても、外部録画装置が、ＴＶ受像機と同様な録画予約機能を有していないために、ユーザが意図したＴＶ番組の録画予約を行えない場合がある。
【０００９】
また、機器間の仕様の差異による上記問題を解決するため、Ｖｅｎｄｏｒ  Ｓｐｅｃｉｆｉｃ  ＣｏｍｍａｎｄｓというＣＥＣコマンド（図１５に示す特殊系のコマンド）を用いて、メーカー特有のＣＥＣコマンドを送信する方法も考えられる。しかしながら、異なるメーカーの機器が接続されている場合、メーカー特有のＣＥＣコマンドを使用できないことが一般的である。
【先行技術文献】
【特許文献】
【００１０】
【特許文献１】特開２００８−６７０２５号公報
【発明の概要】
【発明が解決しようとする課題】
【００１１】
ところで、引用文献１には、表示装置と複数の録画機器とがＨＤＭＩ接続され、表示装置に録画予約要求がなされたときに、表示装置が複数の録画機器の空き容量や録画予約状況から録画予約可能な録画機器を検索し、録画機器はＴＶからの録画予約要求に対して録画予約が可能であれば録画予約情報を設定する録画予約システムが開示されている。しかしながら、この録画予約システムでは、表示装置が録画予約情報を保持するものではないため、録画機器に録画予約情報を保持させるためだけに録画機器の電源をオンにしなければならない。
【００１２】
本発明は、上述した問題点を解決するためになされたものであり、自装置が録画予約番組の情報を保持して録画機器を制御できると共に、録画予約番組を録画装置に録画させる際のユーザによる操作の手間を低減可能な放送受信装置、録画装置、及び録画予約番組の録画方法を提供することを目的とする。
【課題を解決するための手段】
【００１３】
上記目的を達成するために本発明の一態様の放送受信装置は、録画予約番組の放送開始時刻と放送終了時刻を記憶する記憶手段と、前記記憶手段に記憶された前記録画予約番組の放送開始時刻に該録画予約番組の録画の開始を指示するための録画開始コマンドを録画装置に送信した後、前記記憶手段に記憶された前記録画予約番組の放送終了時刻に該録画予約番組の録画の停止を指示するための録画停止コマンドを前記録画装置に送信するように制御する送信制御手段とを備えるものである。
【００１４】
上記構成においては、送信制御手段が、記憶手段に記憶された録画予約番組の放送開始時刻に録画予約番組の録画の開始を指示するための録画開始コマンドを録画装置に送信した後、この録画予約番組の放送終了時刻に録画予約番組の録画の停止を指示するための録画停止コマンドを録画装置に送信するように制御する。そのため、録画機器に録画予約番組の情報を保持させるためだけに録画機器の電源をオンにする必要がなくなり、また、録画開始コマンドと録画停止コマンドを自動的に録画装置に送信するため、ユーザによる操作の手間を低減できる。
【００１５】
前記放送受信装置は、前記録画装置が起動しているかどうかを確認する確認手段と、前記確認手段により前記録画装置が起動していないと確認されたときに、前記録画予約番組の前記放送開始時刻を前記録画装置の起動時間に基づいて補正する補正手段とをさらに備えることが望ましい。
【００１６】
上記構成においては、確認手段が録画装置の起動を確認し、録画装置が起動していないと確認されたときに、補正手段が、録画予約番組の放送開始時刻を録画装置の起動時間に基づいて補正する。そのため、録画装置が起動していないと確認された場合に、補正後の放送開始時刻に基づいて、録画開始コマンドを録画装置に送信できる。従って、録画装置が起動していない場合であっても、録画予約番組の放送開始時刻から遅延することなく録画予約番組の録画を開始させることができるので、利便性が向上する。
【００１７】
前記放送受信装置は、前記録画装置を起動するための起動コマンドを前記録画装置に送信した後、前記録画装置が起動状態であるか否かを確認するための起動確認コマンドを前記録画装置に送信し、前記起動コマンドの送信後から前記起動確認コマンドにより前記録画装置の起動状態を確認するまでの時間を測定することにより、前記録画装置の起動時間を取得することが望ましい。
【００１８】
上記構成においては、起動コマンドを録画装置に送信した後、録画装置が起動状態であるか否かを確認するための起動確認コマンドを録画装置に送信し、起動コマンドの送信後から起動確認コマンドにより録画装置の起動状態を確認するまでの時間を測定する。そのため、録画装置の起動に必要な時間を正確に測定できるため、録画予約番組の放送開始時刻から遅延することなく録画予約番組の録画を開始させることができるので、利便性が向上する。
【００１９】
前記放送受信装置は、放送局から受信した番組を録画媒体に録画させる録画手段と、前記録画手段が前記録画予約番組を前記録画媒体に録画できるか否かを判断する判断手段とをさらに備え、前記送信制御手段は、前記判断手段によって前記録画予約番組を録画できないと判断された場合に、前記録画開始コマンド及び前記録画停止コマンドを前記録画装置に送信するように制御することが望ましい。
【００２０】
上記構成においては、録画手段が放送局から受信した番組を録画媒体に録画させ、判断手段が、録画手段によって録画予約番組を録画媒体に録画できるか否かを判断する。そして、送信制御手段は、判断手段によって録画予約番組を録画できないと判断された場合に、録画開始コマンド及び録画停止コマンドを録画装置に送信するように制御する。そのため、録画手段によって録画予約番組を録画媒体に録画できない場合であっても、録画装置に録画開始コマンドを送信して、録画予約番組を録画させることができるので、利便性が向上する。
【００２１】
前記録画手段は、放送局から受信した複数の番組を前記録画媒体に同時に録画でき、前記判断手段は、前記録画手段が同時に録画可能な最大の番組数の番組を既に録画中である場合に、該録画予約番組を録画できないと判断することが望ましい。
【００２２】
上記構成においては、録画手段が同時に録画可能な最大の番組数の番組を既に録画中である場合に、判断手段が、録画予約番組を録画できないと判断する。そのため、録画手段が同時に録画可能な最大の番組数の番組を既に録画中である場合、すなわち、録画手段によって録画予約番組を録画媒体に録画できない場合に、録画装置に録画開始コマンドを送信して、録画予約番組を録画させることができるので、利便性が向上する。
【００２３】
前記送信制御手段によって前記録画開始コマンド及び前記録画停止コマンドが前記録画装置に送信されたときに、前記録画予約番組が該録画装置に録画された旨を報知する報知手段をさらに備えることが望ましい。
【００２４】
上記構成においては、送信制御手段によって録画開始コマンド及び録画停止コマンドが録画装置に送信されたときに、報知手段が、録画予約番組が録画装置に録画された旨を報知するので、ユーザは、録画予約番組がどこに録画されたのか容易に知ることができる。
【００２５】
前記録画開始コマンドは、ＨＤＭＩ−ＣＥＣの＜Ｒｅｃｏｒｄ  Ｏｎ＞コマンドであり、前記録画停止コマンドは、ＨＤＭＩ−ＣＥＣの＜Ｒｅｃｏｒｄ  Ｏｆｆ＞コマンドであることが望ましい。
【００２６】
上記構成においては、録画開始コマンドは、ＨＤＭＩ−ＣＥＣの＜Ｒｅｃｏｒｄ  Ｏｎ＞コマンドであり、録画停止コマンドは、ＨＤＭＩ−ＣＥＣの＜Ｒｅｃｏｒｄ  Ｏｆｆ＞コマンドである。そのため、放送受信装置及び録画装置は、ＨＤＭＩ−ＣＥＣに従ったＣＥＣコマンドの送受信が可能であればよいため、独自プロトコルに対応した専用機器や専用ソフトウェア等の導入コストをかける必要がない。従って、録画装置の製造コストを抑制することができる。
【００２７】
前記送信制御手段は、前記録画装置が前記録画開始コマンドに対応していない場合、前記記憶手段に記憶された前記録画予約番組の放送開始時刻に、該録画予約番組の選局を指示するための選局指示送信コマンドと、該録画予約番組の録画の開始を指示するためのリモコンコードに対応する第１送信コマンドとを前記録画装置に送信した後、前記記憶手段に記憶された前記録画予約番組の放送終了時刻になったときに、該録画予約番組の録画の停止を指示するためのリモコンコードに対応する第２送信コマンドを前記録画装置に送信するように制御することが望ましい。
【００２８】
上記構成においては、録画装置が録画開始コマンドに対応していない場合、送信制御手段は、記憶手段に記憶された録画予約番組の放送開始時刻に、録画予約番組の選局を指示するための選局指示送信コマンドと、録画予約番組の録画の開始を指示するためのリモコンコードに対応する第１送信コマンドとを録画装置に送信するように制御する。そして、記憶手段に記憶された録画予約番組の放送終了時刻になったときに、送信制御手段は、録画予約番組の録画の停止を指示するためのリモコンコードに対応する第２送信コマンドを録画装置に送信するように制御する。そのため、録画装置が録画開始コマンドに対応していない場合であっても、選局指示送信コマンドと第１送信コマンドとを録画装置に送信して、録画予約番組を録画させることができ、また、第２送信コマンドを録画装置に送信して、録画予約番組の録画を停止させることができるので、利便性が向上する。
【００２９】
本発明の他の態様の録画装置は、請求項１乃至８のいずれか一項に記載の放送受信装置から送信された前記録画開始コマンド及び前記録画停止コマンドを受信する受信手段と、放送局から受信した複数の番組を録画装置側の録画媒体に録画する録画装置側の録画手段と、前記録画装置側の録画手段に番組の録画を指示する録画指示操作手段とを備え、前記録画装置側の録画手段は、前記録画指示操作手段によって録画を指示された番組を録画中に、前記放送受信装置から送信された前記録画開始コマンドが前記受信手段によって受信されると、該録画開始コマンドで録画の開始を指示された番組の録画をさらに開始した後、前記放送受信装置から送信された前記録画停止コマンドが前記受信手段によって受信されると、前記録画指示操作手段によって録画を指示された番組の録画を停止せず、前記録画開始コマンドによって録画を開始した番組の録画を停止するものである。
【００３０】
上記構成においては、受信手段が、請求項１乃至８のいずれか一項に記載の放送受信装置から送信された録画開始コマンド及び録画停止コマンドを受信し、録画装置側の録画手段が、放送局から受信した複数の番組を録画装置側の録画媒体に録画し、録画指示操作手段が、録画装置側の録画手段に番組の録画を指示する。録画装置側の録画手段は、録画指示操作手段によって録画を指示された番組を録画中に、放送受信装置から送信された録画開始コマンドが受信手段によって受信されると、録画開始コマンドで録画の開始を指示された番組の録画をさらに開始する。そして、放送受信装置から送信された録画停止コマンドが受信手段によって受信されると、録画指示操作手段によって録画を指示された番組の録画を停止せず、録画開始コマンドによって録画を開始した番組の録画を停止する。そのため、録画停止コマンドが受信されると、録画開始コマンドによって録画を開始した番組の録画のみを停止させ、録画指示操作手段によって録画を指示された番組の録画を停止させることがないため、利便性が向上する。
【００３１】
前記録画装置側の録画手段は、前記録画開始コマンドによって録画を開始した番組の数と同じ数の前記録画停止コマンドを前記受信手段が受信するのを待って、前記録画開始コマンドによって録画を開始した全ての番組の録画を停止することが望ましい。
【００３２】
上記構成においては、録画開始コマンドによって録画を開始した番組の数と同じ数の録画停止コマンドを受信手段が受信するのを待って、録画装置側の録画手段は、録画開始コマンドによって録画を開始した全ての番組の録画を停止する。そのため、ある録画開始コマンドによって録画を開始した番組が録画途中であるにも係わらず、他の録画開始コマンドによって録画を開始した番組の放送終了時刻に送信された録画停止コマンドによって録画が停止されることがない。従って、録画開始コマンドによって録画を開始した番組の放送終了時刻まで確実に録画することができるため、利便性が向上する。
【００３３】
本発明の他の態様の録画予約番組の録画方法は、録画予約番組の放送開始時刻と放送終了時刻を記憶する記憶ステップと、録画装置を起動させるために必要な起動時間を取得する取得ステップと、前記記憶ステップで記憶された前記録画予約番組の放送開始時刻から前記起動時間を減じた時刻になったときに、該録画予約番組の録画の開始を指示するための録画開始コマンドを前記録画装置に送信した後、前記記憶ステップで記憶された前記録画予約番組の放送終了時刻になったときに、該録画予約番組の録画の停止を指示するための録画停止コマンドを前記録画装置に送信するように制御する送信制御ステップとを備えるものである。
【００３４】
上記構成においては、記憶ステップで録画予約番組の放送開始時刻と放送終了時刻を記憶し、取得ステップで録画装置を起動させるために必要な起動時間を取得する。そして、記憶ステップで記憶された録画予約番組の放送開始時刻から起動時間を減じた時刻になったときに、送信制御ステップは、録画予約番組の録画の開始を指示するための録画開始コマンドを録画装置に送信するように制御する。そして、記憶ステップで記憶された録画予約番組の放送終了時刻になったときに、録画予約番組の録画の停止を指示するための録画停止コマンドを録画装置に送信するように制御する。そのため、録画予約番組の放送開始時刻から起動時間を減じた時刻になったときに、録画装置に録画開始コマンドを送信して、録画予約番組を録画させることができる。従って、録画予約番組の放送開始時刻から遅延することなく録画予約番組の録画を開始させることができるので、利便性が向上する。
【発明の効果】
【００３５】
本発明によれば、自装置が録画予約番組を録画できない場合であっても、録画開始コマンド及び録画終了コマンドを録画装置に送信することにより、録画予約番組の録画の開始及び停止を録画装置に指示できるので、録画予約番組が録画できないことを防ぐことができ、ユーザによる操作の手間を低減できる。
【図面の簡単な説明】
【００３６】
【図１】本発明の第１の実施形態に係るＴＶ受像機とＢＤレコーダとを含む録画システムの概略図。
【図２】上記ＴＶ受像機の内部構成を示すブロック図。
【図３】上記ＢＤレコーダの内部構成を示すブロック図。
【図４】上記録画システムにおけるＢＤレコーダの起動時間の測定処理の一例を示すフローチャート。
【図５】上記録画システムにおける録画予約番組の録画処理の一例を示すフローチャート。
【図６】上記録画システムにおける録画予約番組の録画処理の別の一例を示すフローチャート。
【図７】上記録画システムにおける録画予約番組の録画処理のさらに別の一例を示すフローチャート。
【図８】上記ＴＶ受像機における録画予約番組の録画開始を指示する処理の一例を示すフローチャート。
【図９】上記ＴＶ受像機における録画予約番組の録画停止を指示する処理の一例を示すフローチャート。
【図１０】上記ＴＶ受像機におけるＥＰＧ表示の処理の一例を示すフローチャート。
【図１１】上記録画システムにおける録画予約番組の録画処理のさらに別の一例を示すフローチャート。
【図１２】本発明の第２の実施形態に係る録画システムのＴＶ受像機の内部構成を示すブロック図。
【図１３】上記録画システムにおける録画予約番組の録画処理の一例を示すフローチャート。
【図１４】上記録画システムにおける録画予約番組の録画処理の別の一例を示すフローチャート。
【図１５】ＨＤＭＩ―ＣＥＣコマンドの分類を示す説明図。
【発明を実施するための形態】
【００３７】
以下、本発明の第１の実施形態に係るテレビジョン受像機（放送受信装置）、ブルーレイディスクレコーダ（録画装置）、及び録画予約番組の録画方法について、図１乃至図３を参照して説明する。図１は、テレビジョン（以下、ＴＶ）受信機２と、ブルーレイディスク（以下、ＢＤという）レコーダ３とを含む録画システム１の概略構成を示す。ＴＶ受像機２とＢＤレコーダ３とは、ＨＤＭＩケーブル６１を介して相互に接続されている。ＴＶ受像機２は、ＴＶ番組を録画可能な機器である。
【００３８】
ＴＶ受像機２と、ＢＤレコーダ３とは、それぞれＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）に対応した機器であり、ＨＤＭＩ−ＣＥＣ（Ｃｏｎｓｕｍｅｒ  Ｅｌｅｃｔｒｏｎｉｃｓ  Ｃｏｎｔｒｏｌ）に基づくＣＥＣコマンドと、ＣＥＣコマンドに対するレスポンスデータとをそれぞれ送受信可能である。
【００３９】
ＴＶ受像機２は、図２に示すように、アンテナ（図示せず）にそれぞれ接続された第１チューナ部２１及び第２チューナ部２２と、映像を表示するディスプレイ２３と、音声を出力するスピーカ２４と、ユーザによって操作される操作部２５とを備える。また、ＴＶ受像機２は、メモリ（記憶手段）２６と、ＨＤＭＩ通信部２７と、第１チューナ部２１及び第２チューナ部２２によって受信されたＴＶ番組を録画するハードディスクドライブ（以下、ＨＤＤという；請求項における録画媒体）２８と、タイマー部２９と、制御部（送信制御手段、確認手段）２０とをさらに備える。
【００４０】
第１チューナ部２１及び第２チューナ部２２のそれぞれは、放送局から配信される各チャンネルのデジタル放送信号を受信して、このデジタル放送信号に対して復調処理等を行い、復調の結果得られた映像信号及び音声信号を制御部２０に出力する。また、第１チューナ部２１及び第２チューナ部２２のそれぞれは、放送局から配信されるＥＰＧ（電子番組表）のデータ信号を受信して、制御部２０に出力する。
【００４１】
ディスプレイ２３は、第１チューナ部２１及び第２チューナ部２２によって受信されたＴＶ番組の映像や、ＨＤＭＩ通信部２７によって受信された映像や、ＨＤＤ２７に録画されたＴＶ番組の映像や、ＥＰＧを表示する。スピーカ２４は、第１チューナ部２１及び第２チューナ部２２によって受信されたＴＶ番組の音声や、ＨＤＭＩ通信部２７によって受信された音声や、ＨＤＤ２７に録画されたＴＶ番組の音声を出力する。
【００４２】
操作部２５は、ユーザによって操作される操作ボタンを有するリモコン装置等で構成される。ユーザは操作部２５を操作することにより、所望のＴＶ番組の録画の指示や、所望のＴＶ番組の録画予約の入力を行うことができる。メモリ２６は、ＥＰＧ情報２６ａと、録画予約番組２６ｂと、起動時間２６ｃとを含む各種データを記憶している。録画予約番組２６ｂには、ユーザによって録画予約されたＴＶ番組（以下、録画予約番組という）のチャンネル、放送開始時刻、放送終了時刻、及び録画先の情報等が格納されている。ユーザは、操作部２５を操作して、ＥＰＧに表示されたＴＶ番組を選択することによってＴＶの録画予約の入力を行ってもよい。また、ユーザは、操作部２５を操作して、チャンネルと、録画開始時刻と、録画終了時刻とを入力することにより、所望のＴＶ番組の録画予約を行なってもよい。録画予約番組の録画先の情報は、ユーザによって選択されたＴＶ受像機２又はＢＤレコーダ３のいずれかの情報である。起動時間２６ｃは、起動を指示するためのＣＥＣコマンドをＢＤレコーダ３に送信してから、ＢＤレコーダ３が起動するまでの時間である。
【００４３】
ＨＤＭＩ通信部２７は、ＨＤＭＩレシーバとして機能し、ＨＤＭＩケーブル６１を介して、ＢＤレコーダ３から送信された映像ストリームを受信する。また、ＨＤＭＩ通信部２７は、各種ＣＥＣコマンドの送信と、レスポンスデータの受信とを行う。タイマー部２９は、録画予約番組２６ｂの放送開始時刻や放送終了時刻等の所定の時刻の計測を行う。
【００４４】
制御部２０は、映像再生処理部２０ａと、録画処理部（録画手段）２０ｂと、ＥＰＧ情報取得部２０ｃと、ＨＤＭＩ通信処理部２０ｄと、録画可否判断部（判断手段）２０ｅと、放送開始時刻補正部（補正手段）２０ｆとを有し、ユーザによる操作部２５の操作に基づいて、ＴＶ受像機２の各部を制御する。
【００４５】
映像再生処理部２０ａは、第１チューナ部２１及び第２チューナ部２２を用いて受信した映像信号をディスプレイ２３に出力し、音声信号をスピーカ２４に出力する。録画処理部２０ｂは、第１チューナ部２１及び第２チューナ部２２を用いて受信したＴＶ番組をＨＤＤ２８に録画する。すなわち、録画処理部２０ｂは、同時に２つのＴＶ番組をＨＤＤ２８に録画可能である。ＥＰＧ情報取得部２０ｃは、第１チューナ部２１又は第２チューナ部２２を用いて放送局から取得したＥＰＧ情報２６ａを、メモリ２６に記憶させる。
【００４６】
ＨＤＭＩ通信処理部２０ｄは、ＨＤＭＩ通信部２７を用いてＢＤレコーダ３から受信した映像ストリームを映像再生処理部に転送する処理や、ＢＤレコーダ３に送信するＣＥＣコマンドの制御等を行う。具体的には例えば、ＨＤＭＩ通信処理部２０ｄは、ＨＤＭＩ通信部２７を用いて、ＨＤＭＩ−ＣＥＣの＜Ｒｅｃｏｒｄ  Ｏｎ＞コマンドや、＜Ｒｅｃｏｒｄ  Ｏｆｆ＞コマンド等をＢＤレコーダ３に送信する制御を行う。
【００４７】
録画可否判断部２０ｅは、録画処理部２０ｂが、録画予約番組２６ｂをＨＤＤ２８に録画できるか否かを判断する。具体的には例えば、録画可否判断部２０ｅは、録画予約番組２６ｂの放送開始時刻になったときに、録画処理部２０ｂが、第１チューナ部２１及び第２チューナ部２２を用いて、２つの番組をＨＤＤ２８に既に録画中である場合、録画予約番組２６ｂをＨＤＤ２８に録画できないと判断する。
【００４８】
放送開始時刻補正部２０ｆは、ＢＤレコーダ３の起動時間２６ｃに基づいて、録画予約番組２６ｂの放送開始時刻を補正する。具体的には例えば、録画予約番組２６ｂの放送開始時刻（例えば「１６：：００」）から起動時間（例えば「１分間」）２６ｃを減じた時刻（「１５：５９」）を、補正後における録画予約番組２６ｂの放送開始時刻とする。すなわち、録画予約番組２６ｂの放送開始時刻が１６：００であり、起動時間が１分間である場合、放送開始時刻補正部２０ｆは、録画予約番組２６ｂの放送開始時刻を１５：５９に補正する。
【００４９】
制御部２０は、通常動作を行う通常動作モードや、完全スタンバイモードや、擬似スタンバイモード等の複数の動作モードを有する。
【００５０】
制御部２０は、完全スタンバイモードで動作しているとき、主電源（図示せず）をオフにして、操作部２５と、メモリ２６と、ＨＤＭＩ通信部２７と、タイマー部２９とをオンにしてＴＶ受像機２を動作させる。また、制御部２０は、擬似スタンバイモードで動作しているとき、ディスプレイ２３及びスピーカ２４以外の部分の全てをオンにしてＴＶ受像機２を動作させる。
【００５１】
ＢＤレコーダ３は、図３に示すように、第１チューナ部３１と、第２チューナ部３２と、第３チューナ部３３と、操作部（録画指示操作手段）３４と、メモリ３５と、ＨＤＭＩ通信部（受信手段）３６と、ＴＶ番組を録画するためのＨＤＤ３７と、タイマー部３８と、制御部（録画装置側の録画手段）３０とを備える。ＢＤレコーダ３は、放送局から配信されるＴＶ番組を受信するための第１チューナ部３１〜第３チューナ部３３を用いて、受信したＴＶ番組をＨＤＤ３７に録画することができる。すなわち、ＢＤレコーダ３は、最大３つのＴＶ番組を同時に録画できる。
【００５２】
操作部３４は、ユーザによって操作される操作ボタンを有するリモコン装置等で構成される。ユーザは、操作部３４を操作することによりＴＶ番組の録画予約やＴＶ番組の録画の開始等の指示を行う。メモリ３５は、ＥＰＧ情報３５ａと、録画予約番組３５ｂとを含む各種データを記憶している。
【００５３】
ＨＤＭＩ通信部３６は、ＨＤＭＩトランスミッタとして機能し、制御部３０による制御に基づき、ＨＤＤ３７から読み出されたＴＶ番組の映像ストリームを、ＨＤＭＩケーブル６１を介して、ＴＶ受像機２に送信する。また、ＨＤＭＩ通信部３６は、制御部３０による制御に基づき、ＴＶ受像機２から送信されたＣＥＣコマンドの受信や、ＴＶ受像機２から受信したＣＥＣコマンドに対するレスポンスデータの送信を行う。タイマー部３８は、録画予約番組３５ｂの放送開始時刻や放送終了時刻等の所定の時刻の計測を行う。
【００５４】
制御部３０は、映像再生処理部３０ａと、録画処理部（録画装置側の録画手段）３０ｂと、ＥＰＧ情報取得部３０ｃと、ＨＤＭＩ通信処理部３０ｄとを有し、ユーザによる操作部３４の操作や、ＴＶ受像機２から受信したＣＥＣコマンドに基づいて、ＢＤレコーダ３の各部の制御を行う。具体的には例えば、制御部３０は、ＨＤＭＩ通信部３６を用いてＴＶ受像機２から受信した＜Ｒｅｃｏｒｄ  Ｏｎ＞コマンドの内容に基づいて、ＴＶ番組の録画を開始したり、＜Ｒｅｃｏｒｄ  Ｏｆｆ＞コマンドの内容に基づいて、ＴＶ番組の録画を停止したりする。また、制御部３０は、通常動作を行う通常動作モードや、スタンバイモード等の複数の動作モードを有する。
【００５５】
映像再生処理部３０ａは、ＨＤＤ３７に録画されたＴＶ番組を再生し、ＨＤＭＩ通信部３６に出力する。録画処理部３０ｂは、第１チューナ部３１〜第３チューナ部３３のそれぞれを用いて受信したＴＶ番組をＨＤＤ３７に録画する。すなわち、録画処理部３０ｂは、同時に３つのＴＶ番組をＨＤＤ３７に録画可能である。ＥＰＧ情報取得部３０ｃは、第１チューナ部３１〜第３チューナ部３３のいずれかを用いて放送局から取得したＥＰＧ情報３５ａを、メモリ３５に記憶させる。
【００５６】
ＨＤＭＩ通信処理部３０ｄは、ＨＤＭＩ通信部３６を用いて、映像再生処理部３０ａによって再生された映像ストリームをＴＶ受像機２に送信する処理や、ＴＶ受像機２と送受信するＣＥＣコマンドやレスポンスデータの制御等を行う。
【００５７】
次に、ＴＶ受像機２におけるＢＤレコーダの起動時間２６ｃの測定処理について、図４に示すフローチャートを参照して説明する。
【００５８】
まず、ＴＶ受像機２の制御部２０が、ＢＤレコーダ３にＣＥＣコマンドを送信して、ＢＤレコーダ３の動作モードを確認する（Ｓ１）。具体的には、制御部２０は、＜Ｇｉｖｅ  Ｄｅｖｉｃｅ  Ｐｏｗｅｒ  Ｓｔａｔｕｓ＞コマンドをＢＤレコーダ３に送信し、ＢＤレコーダ３から通知された＜Ｒｅｐｏｒｔ  Ｐｏｗｅｒ  Ｓｔａｔｕｓ＞コマンドの内容を確認して、ＢＤレコーダ３がスタンバイモードであるか否かを確認する。ＢＤレコーダ３がスタンバイモードである場合、ＢＤレコーダ３から＜Ｒｅｐｏｒｔ  Ｐｏｗｅｒ  Ｓｔａｔｕｓ＞［Ｓｔａｎｄｂｙ］が通知される。
【００５９】
上記Ｓ１の結果、ＢＤレコーダ３がスタンバイモードでは無い場合（Ｓ２でＮＯ）、ＴＶ受像機２の制御部２０は、ＢＤレコーダ３にＣＥＣコマンドを送信して、スタンバイモードに移行させた後（Ｓ３）、上記Ｓ１以降の処理を行う。具体的には、制御部２０は、＜Ｓｔａｎｄｂｙ＞コマンドや＜Ｕｓｅｒ  Ｃｏｎｔｒｏｌ  Ｐｒｅｓｓｅｄ＞［Ｐｏｗｅｒ  Ｏｆｆ  Ｆｕｎｃｔｉｏｎ］コマンドをＢＤレコーダ３に送信して、ＢＤレコーダ３をスタンバイモードに移行させる。
【００６０】
一方、ＢＤレコーダ３がスタンバイモードである場合（Ｓ２でＹＥＳ）、ＴＶ受像機２の制御部２０は、電源オンを指示するＣＥＣコマンドをＢＤレコーダ３に送信し、起動時間２６ｃの計測を開始する（Ｓ４）。具体的には、制御部２０は、＜Ｕｓｅｒ  Ｃｏｎｔｒｏｌ  Ｐｒｅｓｓｅｄ＞［Ｐｏｗｅｒ  Ｏｎ  Ｆｕｎｃｔｉｏｎ］コマンドや、＜Ｕｓｅｒ  Ｃｏｎｔｒｏｌ  Ｐｒｅｓｓｅｄ＞［Ｐｏｗｅｒ］のコマンドをＢＤレコーダ３に送信して電源オンを指示した後に、起動時間２６ｃの計測を開始する。
【００６１】
そして、ＴＶ受像機２の制御部２０は、ＣＥＣコマンドを送信してＢＤレコーダ３の電源状態を確認する（Ｓ５）。具体的には、＜Ｇｉｖｅ  Ｄｅｖｉｃｅ  Ｐｏｗｅｒ  Ｓｔａｔｕｓ＞コマンドを送信して、このコマンドに対するレスポンスのステータスを確認する。ＢＤレコーダ３は、“Ｏｎ“、“Ｓｔａｎｄｂｙ“、“Ｉｎ  ｔｒａｎｓｉｔｉｏｎ  Ｓｔａｎｄｂｙ  ｔｏ  Ｏｎ“、“Ｉｎ  ｔｒａｎｓｉｔｉｏｎ  Ｏｎ  ｔｏ  Ｓｔａｎｄｂｙ“のいずれかのステータスを通知する。ＢＤレコーダ３が電源オンである場合、＜Ｒｅｐｏｒｔ  Ｐｏｗｅｒ  Ｓｔａｔｕｓ＞［Ｏｎ］コマンドが通知される。
【００６２】
そして、上記Ｓ５の結果、ＢＤレコーダ３が電源オンであるとき（Ｓ６でＹＥＳ）、ＴＶ受像機２の制御部２０は、ＢＤレコーダ３の起動時間２６ｃの測定を終了し、測定した時間をメモリ２６の起動時間２６ｃに記憶させる（Ｓ８）。一方、上記Ｓ５の結果、ＢＤレコーダ３が電源オンでないとき（Ｓ６でＮＯ）、ＴＶ受像機２の制御部２０は、１秒待った後（Ｓ７）、上記Ｓ５以降の処理を繰り返す。
【００６３】
次に、録画システム１における録画予約番組２６ｂの録画処理について、図５に示すフローチャートを参照して説明する。ここでは、録画予約番組２６ｂには、３ｃｈのＴＶ番組について録画予約するように入力されているものとする。また、録画予約番組２６ｂの録画先としてＴＶ受像機２が選択されているものとする。また、ＢＤレコーダ３は、電源オンであるものとする。
【００６４】
まず、ＴＶ受像機２の制御部２０は、録画予約番組２６ｂの放送が開始されると（Ｓ１１）、同時に録画可能な最大の番組数のＴＶ番組を既に録画中であるか否かを判断する（Ｓ１２）。すなわち、制御部２０は、録画処理部２０ｂが同時に２つの番組を既に録画中であるか否かを判断する。この結果、最大の番組数を録画中ではない場合（Ｓ１３でＮＯ）、制御部２０は、ＨＤＤ２８に録画予約番組２６ｂを録画する（Ｓ１８）。
【００６５】
一方、上記Ｓ２の判断の結果、最大の番組数を既に録画中である場合（Ｓ１３でＹＥＳ）、制御部２０は、ＢＤレコーダ３に＜Ｒｅｃｏｒｄ  Ｏｎ＞コマンドを送信する（Ｓ１４）。ここで送信される＜Ｒｅｃｏｒｄ  Ｏｎ＞コマンドの内容は、３ｃｈのＴＶ番組の録画の開始を指示するものである。ＢＤレコーダ３の制御部３０は、上記Ｓ４で送信された＜Ｒｅｃｏｒｄ  Ｏｎ＞コマンドを受信すると、３ｃｈのＴＶ番組（録画予約番組２６ｂ）の録画を開始する（Ｓ１５）。
【００６６】
そして、制御部２０は、録画予約番組２６ｂの放送終了時刻になっときに、＜Ｒｅｃｏｒｄ  Ｏｆｆ＞コマンドをＢＤレコーダ３に送信し（Ｓ１６）、ＢＤレコーダ３は、３ｃｈのＴＶ番組の録画を停止する（Ｓ１７）。
【００６７】
次に、録画システム１における録画予約番組２６ｂの録画処理の別の例について、図６に示すフローチャートを参照して説明する。ここでは、ＢＤレコーダ３が電源オンであり、ＢＤレコーダ３の制御部３０が、第１チューナ部３１及び第２チューナ部３２を用いて、ＴＶ番組を録画中に、ＴＶ受像機３から＜Ｒｅｃｏｒｄ  Ｏｎ＞コマンドが送信されたものとする。また、＜Ｒｅｃｏｒｄ  Ｏｎ＞コマンドは、３ｃｈのＴＶ番組について録画の開始を指示するものとする。また、録画予約番組２６ｂの録画先としてＴＶ受像機２が選択されているものとする。
【００６８】
ＢＤレコーダ３の制御部３０は、第１チューナ部３１及び第２チューナ部３２を用いてＴＶ番組を録画中に、ＴＶ受像機２から送信された＜Ｒｅｃｏｒｄ  Ｏｎ＞コマンドを受信すると（Ｓ２１）、第３チューナ部３３を用いて、＜Ｒｅｃｏｒｄ  Ｏｎ＞コマンドに指定された３ｃｈのＴＶ番組（録画予約番組２６ｂ）の録画をさらに開始する（Ｓ２２）。
【００６９】
そして、ＴＶ受像機２の制御部２０は、録画予約番組２６ｂの放送終了時刻になったときに、＜Ｒｅｃｏｒｄ  Ｏｆｆ＞コマンドをＢＤレコーダ３に送信し（Ｓ２３）、ＢＤレコーダ３は、第３チューナ部３３を用いて録画を開始した３ｃｈのＴＶ番組の録画を停止する（Ｓ２４）。すなわち、ＢＤレコーダ３の制御部３０は、第１のチューナ部及び第２のチューナ部の録画は継続させ、上記Ｓ２２で＜Ｒｅｃｏｒｄ  Ｏｎ＞コマンドによって録画を開始したＴＶ番組のみ録画を停止させる。
【００７０】
次に、録画システム１における録画予約番組２６ｂの録画処理のさらに別の例について、図７に示すフローチャートを参照して説明する。ここでは、録画予約番組２６ｂの録画先としてＴＶ受像機２が選択されているものとする。また、ＢＤレコーダ３は電源オンであるものとする。
【００７１】
ＴＶ受像機２の制御部２０が、それぞれ異なるＴＶ番組（録画予約番組２６ｂ）の録画の開始を指示する＜Ｒｅｃｏｒｄ  Ｏｎ＞コマンドをＢＤレコーダ３に３回送信したとする（Ｓ３１）。ここで、送信される＜Ｒｅｃｏｒｄ  Ｏｎ＞コマンドは、２ｃｈ、５ｃｈ、１０ｃｈのＴＶ番組の録画を指示するものとする。なお、２ｃｈ、５ｃｈ、１０ｃｈのＴＶ番組は、それぞれ放送開始時刻と放送終了時刻が異なっているものとする。
【００７２】
ＢＤレコーダ３の制御部３０は、第１チューナ部３１乃至第３チューナ部３３を用いて、ＴＶ受像機２から受信した３つの＜Ｒｅｃｏｒｄ  Ｏｎ＞コマンドのそれぞれで指定されたＴＶ番組の録画を開始する（Ｓ３２）。
【００７３】
ＴＶ受像機２の制御部２０は、録画を指示した各ＴＶ番組の放送終了時刻になったときに、＜Ｒｅｃｏｒｄ  Ｏｆｆ＞コマンドをＢＤレコーダ３に送信する（Ｓ３３）。例えば、２ｃｈのＴＶ番組の放送終了時刻になったときに、ＴＶ受像機２の制御部２０は、＜Ｒｅｃｏｒｄ  Ｏｆｆ＞コマンドをＢＤレコーダ３に送信する。制御部２０は、３つのＴＶ番組の録画を指示しているため、それぞれのＴＶ番組の放送終了時刻に＜Ｒｅｃｏｒｄ  Ｏｆｆ＞コマンドを送信する。従って、制御部２０は、計３回の＜Ｒｅｃｏｒｄ  Ｏｆｆ＞コマンドを送信する。
【００７４】
ＢＤレコーダ３の制御部３０は、ＴＶ受像機２から＜Ｒｅｃｏｒｄ  Ｏｆｆ＞コマンドを３つ受信した場合（Ｓ３４でＹＥＳ）、第１チューナ部３１乃至第３チューナ部３３のそれぞれを用いて録画している３つのＴＶ番組の録画を停止する（Ｓ３５）。
【００７５】
一方、ＢＤレコーダ３の制御部３０が、ＴＶ受像機２から＜Ｒｅｃｏｒｄ  Ｏｆｆ＞コマンドを３つ受信していない場合（Ｓ３４でＮＯ）、ＴＶ受像機２及びＢＤレコーダ３は、上記Ｓ３３及びＳ３４の処理を繰り返す。すなわち、ＢＤレコーダ３の制御部３０は、＜Ｒｅｃｏｒｄ  Ｏｆｆ＞コマンドを３つ受信するまで、３つのＴＶ番組の録画を継続する。
【００７６】
次に、ＴＶ受像機２における＜Ｒｅｃｏｒｄ  Ｏｎ＞コマンドの送信処理の一例について、図８に示すフローチャートを参照して説明する。ここでは、録画予約番組２６ｂの録画先としてＴＶ受像機２が選択されているものとする。また、ＢＤレコーダ３の起動時間２６ｃは１分であるものとする。
【００７７】
まず、ＴＶ受像機２の制御部２０は、完全スタンバイモードで動作しているときに（Ｓ４１）、録画予約番組２６ｂの放送開始時刻から起動時間（ここでは、１分）２６ｃを減じた時刻よりもさらに前の時刻（例えば、１分３０秒前）になると、擬似スタンバイモードに移行する（Ｓ４２）。
【００７８】
制御部２０は、録画予約番組２６ｂが予定通りに放送される場合（Ｓ４３でＹＥＳ）、ＣＥＣコマンドを用いて、ＢＤレコーダ３の電源状態を確認する（Ｓ４４）。ここでは、例えば、＜Ｇｉｖｅ  Ｄｅｖｉｃｅ  Ｐｏｗｅｒ  Ｓｔａｔｕｓ＞コマンドをＢＤレコーダ３に送信することにより、ＢＤレコーダ３の電源状態を確認する。
【００７９】
一方、録画予約番組２６ｂの放送が予定通りに開始されない場合（Ｓ４３でＮＯ）、制御部２０は、録画予約番組２６ｂの放送開始時刻を変更後の放送開始時刻に更新し（Ｓ４９）、上記Ｓ４１以降の処理を繰り返す。
【００８０】
ＴＶ受像機２の制御部２０は、ＢＤレコーダ３が電源オンである場合（Ｓ４５でＹＥＳ）、録画予約番組２６ｂの放送開始時刻に、＜Ｒｅｃｏｒｄ  Ｏｎ＞コマンドをＢＤレコーダ３に送信した後（Ｓ４６）、完全スタンバイモードに移行する（Ｓ４７）。
【００８１】
一方、ＢＤレコーダ３が電源オンでない場合（Ｓ４５でＮＯ）、ＴＶ受像機２の制御部２０は、電源オンを指示するＣＥＣコマンドをＢＤレコーダ３に送信して、ＢＤレコーダ３の電源オンを確認した後、＜Ｒｅｃｏｒｄ  Ｏｎ＞コマンドをＢＤレコーダ３に送信する（Ｓ４８）。具体的には、ＴＶ受像機２が、＜Ｕｓｅｒ  Ｃｏｎｔｒｏｌ  Ｐｒｅｓｓｅｄ＞［Ｐｏｗｅｒ  Ｏｎ  Ｆｕｎｃｔｉｏｎ］コマンドや、＜Ｕｓｅｒ  Ｃｏｎｔｒｏｌ  Ｐｒｅｓｓｅｄ＞［Ｐｏｗｅｒ］コマンドをＢＤレコーダ３に送信して、電源オンを指示する。そして、ＴＶ受像機２が＜Ｇｉｖｅ  Ｄｅｖｉｃｅ  Ｐｏｗｅｒ  Ｓｔａｔｕｓ＞コマンドをＢＤレコーダ３に送信して、ＢＤレコーダ３が電源オンであるか否かを確認する。このとき、ＢＤレコーダ３から＜Ｒｅｐｏｒｔ  Ｐｏｗｅｒ  Ｓｔａｔｕｓ＞［Ｉｎ  ｔｒａｎｓｉｔｉｏｎ  Ｓｔａｎｄｂｙ  Ｏｎ］コマンドが返信された場合、ＢＤレコーダ３が電源オンに移行している最中であると判断し、ＴＶ受像機２は、再度、電源オンを指示するＣＥＣコマンドをＢＤレコーダ３に送信する。ＢＤレコーダ３の電源オンを確認した場合、＜Ｒｅｃｏｒｄ  Ｏｎ＞コマンドをＢＤレコーダ３に送信する。
【００８２】
次に、ＴＶ受像機２における＜Ｒｅｃｏｒｄ  Ｏｆｆ＞コマンドの送信処理の一例について、図９に示すフローチャートを参照して説明する。ここでは、上記図８に示した処理によって、ＴＶ受像機２からＢＤレコーダ３に＜Ｒｅｃｏｒｄ  Ｏｎ＞コマンドが送信されており、ＢＤレコーダ３がＴＶ番組（録画予約番組２６ｂ）の録画を開始しているものとする。
【００８３】
まず、ＴＶ受像機２の制御部２０は、完全スタンバイモードで動作しているときに（Ｓ５１）、録画予約番組２６ｂの放送終了時刻になると、擬似スタンバイモードに移行する（Ｓ５２）。
【００８４】
そして、制御部２０は、録画予約番組２６ｂの放送が予定通りに終了する場合（Ｓ５３でＹＥＳ）、＜Ｒｅｃｏｒｄ  ｏｆｆ＞コマンドをＢＤレコーダ３に送信した後（Ｓ５４）、ＢＤレコーダ３に電源オフを指示するＣＥＣコマンドを送信する（Ｓ５５）。一方、録画予約番組２６ｂの放送が予定通りに終了しない場合（Ｓ５３でＮＯ）、制御部２０は、録画予約番組２６ｂの放送終了時刻を変更後の放送終了時刻に更新し（Ｓ５６）、上記Ｓ５１以降の処理を繰り返す。
【００８５】
次に、ＴＶ受像機２におけるＥＰＧ表示処理の一例について、図１０に示すフローチャートを参照して説明する。ここでは、ユーザによって録画予約番組２６ｂが入力されているものとする。
【００８６】
ＴＶ受像機２の制御部２０は、ディスプレイ２３にＥＰＧを表示するときに、録画予約番組２６ｂの録画先を判断し（Ｓ６１）、録画先としてＴＶ受像機２が選択されている場合（Ｓ６２でＹＥＳ）、ＥＰＧにおける録画予約番組２６の表示部分に録画先がＴＶ受像機２である旨を表示する（Ｓ６３）。具体的には例えば、ＥＰＧにおける録画予約番組２６の表示部分の背景を赤色に表示する。
【００８７】
一方、録画先としてＢＤレコーダ３が選択されている場合（Ｓ６２でＮＯ）、ＴＶ受像機２の制御部２０は、ＥＰＧにおける録画予約番組２６の表示部分に録画先がＢＤレコーダ３である旨を表示する（Ｓ６４）。具体的には例えば、ＥＰＧにおける録画予約番組２６の表示部分の背景を黄色に表示する。
【００８８】
次に、録画システム１における録画予約番組２６ｂの録画処理の一例について、図１１に示すフローチャートを参照して説明する。ここでは、録画予約番組２６ｂの録画先としてＢＤレコーダ３が選択されているものとする。また、ＢＤレコーダ３は、電源オンであるものとする。
【００８９】
まず、ＴＶ受像機２が、録画予約番組２６の放送開始時刻に、＜Ｒｅｃｏｒｄ  Ｏｎ＞コマンドをＢＤレコーダ３に送信し（Ｓ７１）、ＢＤレコーダ３が＜Ｒｅｃｏｒｄ  Ｏｎ＞コマンドに対応している場合（Ｓ７２でＮＯ）、録画予約番組２６の放送終了時刻に、ＴＶ受像機２が、＜Ｒｅｃｏｒｄ  ｏｆｆ＞コマンドをＢＤレコーダ３に送信する（Ｓ７３）。
【００９０】
一方、ＢＤレコーダ３が＜Ｒｅｃｏｒｄ  Ｏｎ＞コマンドに非対応の場合（Ｓ７２でＹＥＳ）、ＴＶ受像機２の制御部２０は、＜Ｕｓｅｒ  Ｃｏｎｔｒｏｌ  Ｐｒｅｓｓｅｄ＞［Ｎｕｍｂｅｒ  Ｅｎｔｒｙ  Ｍｏｄｅ］をＢＤレコーダ３に送信する。＜Ｒｅｃｏｒｄ  Ｏｎ＞コマンドに非対応であるか否かの判定は、＜Ｒｅｃｏｒｄ  Ｏｎ＞コマンドをＢＤレコーダ３に送信した後、ＢＤレコーダ３から＜Ｆｅａｔｕｒｅ  Ａｂｏｒｔ＞コマンドが通知されると、ＴＶ受像機２の制御部２０は、ＢＤレコーダ３が＜Ｒｅｃｏｒｄ  Ｏｎ＞コマンドに非対応であると判定する。＜Ｆｅａｔｕｒｅ  Ａｂｏｒｔ＞コマンドは、受信したコマンドに対応していないことを通知するコマンドである。
【００９１】
そして、ＴＶ受像機２の制御部２０は、予約録画番組２６ｂが放送されるサービスのＣＨ番号を、＜Ｕｓｅｒ  Ｃｏｎｔｒｏｌ  Ｐｒｅｓｓｅｄ＞［０−９］コマンドでＢＤレコーダ３に送信した後（Ｓ７５）、＜Ｕｓｅｒ  Ｃｏｎｔｒｏｌ  Ｐｒｅｓｓｅｄ＞［Ｒｅｃｏｒｄ］コマンドをＢＤレコーダ３に送信し（Ｓ７６）、ＢＤレコーダ３に録画予約番組２６ｂの録画を開始させる。そして、ＴＶ受像機２の制御部２０は、録画予約番組２６の放送終了時刻に、＜Ｕｓｅｒ  Ｃｏｎｔｒｏｌ  Ｐｒｅｓｓｅｄ＞［Ｓｔｏｐ］コマンドをＢＤレコーダ３に送信して（Ｓ７７）、録画予約番組２６ｂの録画を停止させる。
【００９２】
上述したように、本実施形態に係るＴＶ受像機２、ＢＤレコーダ３、及び録画予約番組２６ｂの録画方法によれば、ＴＶ受像機２の制御部２０が、メモリ２６に記憶された録画予約番組２６ｂの放送開始時刻に録画予約番組２６ｂの録画の開始を指示するための＜Ｒｅｃｏｒｄ  Ｏｎ＞コマンドをＢＤレコーダ３に送信した後、この録画予約番組２６ｂの放送終了時刻に録画予約番組２６ｂの録画の停止を指示するための＜Ｒｅｃｏｒｄ  Ｏｆｆ＞コマンドをＢＤレコーダ３に送信するように制御する。そのため、ＢＤレコーダ３に録画予約番組２６ｂの情報を保持させるためだけにＢＤレコーダ３の電源をオンにする必要がなくなり、また、＜Ｒｅｃｏｒｄ  Ｏｎ＞コマンドと＜Ｒｅｃｏｒｄ  Ｏｆｆ＞コマンドを自動的にＢＤレコーダ３に送信するため、ユーザによる操作の手間を低減できる。
【００９３】
また、本実施形態によれば、ＴＶ受像機２の制御部２０がＢＤレコーダ３の起動を確認し、ＢＤレコーダ３が起動していないと確認されたときに、録画予約番組２６ｂの放送開始時刻をＢＤレコーダ３の起動時間２６ｃに基づいて補正する。そのため、ＢＤレコーダ３が起動していないと確認された場合に、補正後の放送開始時刻に基づいて、＜Ｒｅｃｏｒｄ  Ｏｎ＞コマンドをＢＤレコーダ３に送信できる。従って、ＢＤレコーダ３が起動していない場合であっても、録画予約番組２６ｂの放送開始時刻から遅延することなく録画予約番組２６ｂの録画を開始させることができるので、利便性が向上する。
【００９４】
また、本実施形態によれば、ＴＶ受像機２が、起動を指示する起動コマンド（＜Ｕｓｅｒ  Ｃｏｎｔｒｏｌ  Ｐｒｅｓｓｅｄ＞［Ｐｏｗｅｒ  Ｏｎ  Ｆｕｎｃｔｉｏｎ］コマンド）をＢＤレコーダ３に送信した後、ＢＤレコーダ３が起動状態であるか否かを確認するための起動確認コマンド（＜Ｇｉｖｅ  Ｄｅｖｉｃｅ  Ｐｏｗｅｒ  Ｓｔａｔｕｓ＞）をＢＤレコーダ３に送信し、起動コマンドの送信後から起動確認コマンドにより録画装置の起動状態を確認するまでの時間を測定する。そのため、ＴＶ受像機２は、ＢＤレコーダ３の起動に必要な時間を正確に測定できるため、録画予約番組２６ｂの放送開始時刻から遅延することなく録画予約番組２６ｂの録画を開始させることができるので、利便性が向上する。
【００９５】
また、本実施形態によれば、ＴＶ受像機２は、録画処理部２０ｂが放送局から受信したＴＶ番組をＨＤＤ２８に録画させ、録画可否判断部２０ｅが、録画予約番組２６ｂをＨＤＤ２８に録画できるか否かを判断する。そして、ＴＶ受像機２の制御部２０は、録画可否判断部２０ｅによって録画予約番組２６ｂを録画できないと判断された場合に、＜Ｒｅｃｏｒｄ  Ｏｎ＞コマンド及び＜Ｒｅｃｏｒｄ  Ｏｆｆ＞コマンドをＢＤレコーダ３に送信するように制御する。そのため、録画処理部２０ｂによって録画予約番組２６ｂをＨＤＤ２８に録画できない場合であっても、ＢＤレコーダ３に＜Ｒｅｃｏｒｄ  Ｏｎ＞コマンドを送信して、録画予約番組２６ｂを録画させることができるので、利便性が向上する。
【００９６】
また、本実施形態によれば、録画処理部２０ｂが同時に録画可能な最大の番組数（２つ）の番組を既に録画中である場合に、録画可否判断部２０ｅが、録画予約番組２６ｂを録画できないと判断する。そのため、録画処理部２０ｂが同時に録画可能な最大の番組数の番組を既に録画中である場合、すなわち、録画処理部２０ｂによって録画予約番組２６ｂをＨＤＤ２８に録画できない場合に、ＢＤレコーダ３に＜Ｒｅｃｏｒｄ  Ｏｎ＞コマンドを送信して、録画予約番組２６ｂを録画させることができるので、利便性が向上する。
【００９７】
また、本実施形態によれば、録画開始コマンドがＨＤＭＩ−ＣＥＣの＜Ｒｅｃｏｒｄ  Ｏｎ＞コマンドであり、録画停止コマンドがＨＤＭＩ−ＣＥＣの＜Ｒｅｃｏｒｄ  Ｏｆｆ＞コマンドである。そのため、ＴＶ受像機２及びＢＤレコーダ３は、ＨＤＭＩ−ＣＥＣに従ったＣＥＣコマンドの送受信が可能であればよいため、独自プロトコルに対応した専用機器や専用ソフトウェア等の導入コストをかける必要がない。従って、ＴＶ受像機２及びＢＤレコーダ３の製造コストを抑制することができる。
【００９８】
また、本実施形態によれば、ＢＤレコーダ３が＜Ｒｅｃｏｒｄ  Ｏｎ＞コマンドに対応していない場合、ＴＶ受像機２の制御部２０は、メモリ２６に記憶された録画予約番組２６ｂの放送開始時刻に、録画予約番組２６ｂの選局を指示するための選局指示送信コマンドと、録画予約番組の録画の開始を指示するためのリモコンコードに対応する＜Ｕｓｅｒ  Ｃｏｎｔｒｏｌ  Ｐｒｅｓｓｅｄ＞コマンドをＢＤレコーダ３に送信するように制御する。そして、メモリ２６に記憶された録画予約番組２６ｂの放送終了時刻になったときに、ＴＶ受像機２の制御部２０は、録画予約番組２６ｂの録画の停止を指示するためのリモコンコードに対応する＜Ｕｓｅｒ  Ｃｏｎｔｒｏｌ  Ｐｒｅｓｓｅｄ＞［Ｓｔｏｐ］コマンドをＢＤレコーダ３に送信するように制御する。そのため、ＢＤレコーダ３が＜Ｒｅｃｏｒｄ  Ｏｎ＞コマンドに対応していない場合であっても、＜Ｕｓｅｒ  Ｃｏｎｔｒｏｌ  Ｐｒｅｓｓｅｄ＞コマンドをＢＤレコーダ３に送信して、録画予約番組２６の録画の開始、及び録画の停止をさせることができるので、利便性が向上する。
【００９９】
また、本実施形態によれば、ＢＤレコーダ３のＨＤＭＩ通信部３６が、ＴＶ受像機２から送信された＜Ｒｅｃｏｒｄ  Ｏｎ＞コマンド及び＜Ｒｅｃｏｒｄ  Ｏｆｆ＞コマンドを受信し、ＢＤレコーダ３の録画処理部３０ｂが、放送局から受信した複数のＴＶ番組をＢＤレコーダ３のＨＤＤ３７に録画し、操作部３４が、ＢＤレコーダ３の録画処理部３０ｂにＴＶ番組の録画を指示する。ＢＤレコーダ３の録画処理部３０は、操作部３４によって録画を指示されたＴＶ番組を録画中に、ＴＶ受像機２から送信された＜Ｒｅｃｏｒｄ  Ｏｎ＞コマンドを受信すると、＜Ｒｅｃｏｒｄ  Ｏｎ＞コマンドで録画の開始を指示されたＴＶ番組の録画をさらに開始する。そして、ＴＶ受像機２から送信された＜Ｒｅｃｏｒｄ  Ｏｆｆ＞コマンドを受信すると、操作部３４によって録画を指示されたＴＶ番組の録画を停止せず、＜Ｒｅｃｏｒｄ  Ｏｎ＞コマンドによって録画を開始した番組の録画を停止する。そのため、＜Ｒｅｃｏｒｄ  Ｏｆｆ＞コマンドを受信すると、＜Ｒｅｃｏｒｄ  Ｏｎ＞コマンドによって録画を開始したＴＶ番組の録画のみを停止させ、操作部３４によって録画を指示されたＴＶ番組の録画を停止させることがないため、利便性が向上する。
【０１００】
また、本実施形態によれば、ＢＤレコーダ３が、＜Ｒｅｃｏｒｄ  Ｏｎ＞コマンドによって録画を開始したＴＶ番組の数と同じ数の＜Ｒｅｃｏｒｄ  Ｏｆｆ＞コマンドをＢＤレコーダ３のＨＤＭＩ通信部３６が受信するのを待って、ＢＤレコーダ３の録画処理部３０ｂは、＜Ｒｅｃｏｒｄ  Ｏｎ＞コマンドによって録画を開始した全てのＴＶ番組の録画を停止する。そのため、ある＜Ｒｅｃｏｒｄ  Ｏｎ＞コマンドによって録画を開始したＴＶ番組が録画途中であるにも係わらず、他の＜Ｒｅｃｏｒｄ  Ｏｎ＞コマンドによって録画を開始したＴＶ番組の放送終了時刻に送信された＜Ｒｅｃｏｒｄ  Ｏｆｆ＞コマンドによって録画が停止されることがない。従って、＜Ｒｅｃｏｒｄ  Ｏｎ＞コマンドによって録画を開始したＴＶ番組の放送終了時刻まで確実に録画することができるため、利便性が向上する。
【０１０１】
また、本実施形態によれば、ＴＶ受像機２の制御部２０が、録画予約番組２６ｂの放送開始時刻と放送終了時刻をメモリ２６に記憶し、ＢＤレコーダ３を起動させるために必要な起動時間２６ｃを取得してメモリ２６に記憶する。そして、制御部２０は、記憶された録画予約番組２６ｂの放送開始時刻から起動時間２６ｃを減じた時刻になったときに、録画予約番組２６ｂの録画の開始を指示するための＜Ｒｅｃｏｒｄ  Ｏｎ＞コマンドをＢＤレコーダ３に送信するように制御する。そして、制御部２０は、メモリ２６に記憶された録画予約番組２６ｂの放送終了時刻になったときに、録画予約番組２６ｂの録画の停止を指示するための＜Ｒｅｃｏｒｄ  Ｏｆｆ＞コマンドをＢＤレコーダ３に送信するように制御する。そのため、録画予約番組２６ｂの放送開始時刻から起動時間２６ｃを減じた時刻になったときに、ＢＤレコーダ３に＜Ｒｅｃｏｒｄ  Ｏｎ＞コマンドを送信して、録画予約番組２６ｂを録画させることができる。従って、録画予約番組２６ｂの放送開始時刻から遅延することなく録画予約番組２６ｂの録画を開始させることができるので、利便性が向上する。
【０１０２】
また、本実施形態によれば、図１０に示したように、ＴＶ受像機２の制御部２０は、ＥＰＧを表示するときに、録画予約番組２６の表示部分に録画先がＴＶ受像機２又はＢＤレコーダ３である旨を表示する。そのため、ユーザは、ＥＰＧを見るだけで、録画予約番組２６ｂの録画先としてどこを選択したのか分かるため、利便性が向上する。
【０１０３】
次に、本発明の第２の実施形態に係るＴＶ受像機２、ＢＤレコーダ３、及び録画予約番組２６ｂの録画方法について、図１２を参照して説明する。本実施形態では、ＴＶ受像機２が、インターネットに接続するためのネットワークインタフェース４１をさらに備え、制御部２０が、メール送信部（報知手段）２０ｇをさらに有すること以外は、上記図２に示したＴＶ受像機２と同様の構成である。また、本実施形態に係るＢＤレコーダ３は、上記図３に示したＢＤレコーダ３と同様の構成であり、録画システム１は、図１２に示すＴＶ受像機２と、このＴＶ受像機２とＨＤＭＩケーブル６１で接続されたＢＤレコーダ３とを含むものである。本実施形態においては、第１の実施形態と同一の構成は同一の符号で示し、その説明を省略する。
【０１０４】
ネットワークインタフェース４１は、インタ−ネットを介して各種サ−バにデータの送受信を行うものである。メール送信部２０ｇは、ネットワークインタフェース４１を用いて、ユーザの携帯電話などにメールを送信する処理を行う。
【０１０５】
次に、本実施形態に係る録画システム１における録画予定番組２６ｂの録画処理の一例について、図１３に示すフローチャートを参照して説明する。ここでは、録画先としてＢＤレコーダ３が選択された録画予約番組２６ｂを録画するものとする。また、ＢＤレコーダ３は、電源オンであるものとする。
【０１０６】
ＴＶ受像機２の制御部２０は、録画先としてＢＤレコーダ３が選択された録画予約番組２６ｂの放送が開始されると（Ｓ８１）、ＢＤレコーダ３に＜Ｒｅｃｏｒｄ  Ｏｎ＞コマンドを送信する（Ｓ８２）。ＢＤレコーダ３が録画可能であるとき（Ｓ８３でＹＥＳ）、ＢＤレコーダ３の制御部３０は、受信した＜Ｒｅｃｏｒｄ  Ｏｎ＞コマンドの内容に指定されたチャンネルのＴＶ番組の録画を開始する（Ｓ８４）。ＢＤレコーダ３が録画可能であるか否かは、ＣＥＣの＜Ｒｅｃｏｒｄ  Ｓｔａｔｕｓ＞コマンドを用いて、ＢＤレコーダ３がＴＶ受像機２に通知し、ＢＤレコーダ３が録画中である場合、ＴＶ受像機２の制御部２０は、ＢＤレコーダ３が録画不可であると判断する。
【０１０７】
そして、ＴＶ受像機２の制御部２０は、録画予約番組２６ｂの放送終了時刻になったときに、＜Ｒｅｃｏｒｄ  Ｏｆｆ＞コマンドをＢＤレコーダ３に送信し、ＢＤレコーダ３の制御部３０がＴＶ番組の録画を停止する（Ｓ８５）。そして、ＴＶ受像機２の制御部２０は、メール送信部２０ｇを用いて、録画予約番組２６ｂをＢＤレコーダ３に録画した旨のメッセージを含むメールをユーザが有する情報機器に送信する（Ｓ９０）。
【０１０８】
一方、ＢＤレコーダが録画不可である場合（Ｓ８３でＮＯ）、ＴＶ受像機２の制御部２０は、ＴＶ受像機２に録画可能であるとき（Ｓ８６でＹＥＳ）、録画予約番組２６ｂをＴＶ受像機２のＨＤＤ２８に録画する（Ｓ８７）。そして、ＴＶ受像機２の制御部２０は、メール送信部２０ｇを用いて、録画先にＢＤレコーダ３が選択された録画予約番組２６ｂをＴＶ受像機２に録画した旨のメッセージを含むメールをユーザが有する情報機器に送信する（Ｓ８８）。ＴＶ受像機２のＨＤＤ２８に録画可能である場合とは、ＴＶ受像機２が、第１チューナ部２１及び第２チューナ部の両方を用いて、ＴＶ番組を録画中ではない場合である。
【０１０９】
一方、ＴＶ受像機２の制御部２０は、ＴＶ受像機２に録画できないとき（Ｓ８６でＮＯ）、メール送信部２０ｇを用いて、録画予約番組２６ｂを録画できない旨のメッセージを含むメールをユーザが有する情報機器に送信する（Ｓ８９）。
【０１１０】
次に、本実施形態に係る録画システム１における録画予定番組２６ｂの録画処理の別の一例について、図１４に示すフローチャートを参照して説明する。ここでは、録画先としてＴＶ受像機２が選択された録画予約番組２６ｂを録画するものとする。また、ＢＤレコーダ３は、電源オンであるものとする。
【０１１１】
ＴＶ受像機２の制御部２０は、録画先としてＴＶ受像機２が選択された録画予約番組２６ｂの放送が開始されると（Ｓ９１）、ＴＶ受像機２に録画可能であるとき（Ｓ９２でＹＥＳ）、録画予約番組２６ｂをＴＶ受像機２のＨＤＤ２８に録画する（Ｓ９３）。そして、制御部２０は、メール送信部２０ｇを用いて、録画予約番組２６ｂをＴＶ受像機２に録画した旨のメッセージを含むメールをユーザが有する情報機器に送信する（Ｓ１００）。
【０１１２】
一方、ＴＶ受像機２の制御部２０は、ＴＶ受像機２に録画できないとき（Ｓ９２でＮＯ）、ＢＤレコーダ３に＜Ｒｅｃｏｒｄ  Ｏｎ＞コマンドを送信する（Ｓ９４）。ＢＤレコーダ３が録画可能であるとき（Ｓ９５でＹＥＳ）、ＢＤレコーダ３の制御部３０は、受信した＜Ｒｅｃｏｒｄ  Ｏｎ＞コマンドの内容に指定されたチャンネルのＴＶ番組（録画予定番組２６ｂ）の録画を開始する（Ｓ９６）。
【０１１３】
そして、ＴＶ受像機２の制御部２０は、録画予約番組２６ｂの放送終了時刻になったときに、＜Ｒｅｃｏｒｄ  Ｏｆｆ＞コマンドをＢＤレコーダ３に送信し、ＢＤレコーダ３の制御部３０が、ＴＶ番組の録画を停止する（Ｓ９７）。そして、ＴＶ受像機２の制御部２０は、メール送信部２０ｇを用いて、録画先にＴＶ受像機２が選択された録画予約番組２６ｂをＢＤレコーダ３に録画した旨のメッセージを含むメールをユーザが有する情報機器に送信する（Ｓ９８）。
【０１１４】
一方、ＴＶ受像機２の制御部２０は、ＢＤレコーダ３に録画できないとき（Ｓ９５でＮＯ）、メール送信部２０ｇを用いて、録画予約番組２６ｂを録画できない旨のメッセージを含むメールをユーザが有する情報機器に送信する（Ｓ９９）。
【０１１５】
上述したように、本実施形態に係るＴＶ受像機２、ＢＤレコーダ３、及び録画予約番組２６ｂの録画方法によれば、ＴＶ受像機２の制御部２０が、メール送信部２０ｇを用いて、録画予約番組２６ｂがＴＶ受像機２又はＢＤレコーダ３のいずれに録画されたかをユーザが有する情報機器にメールで報知することができる。そのため、ユーザは、録画予約番組２６ｂがどこに録画されたのか容易に知ることができる。なお、上記の録画予約番組２６ｂを録画した機器を示すメッセージや、上記の録画予約番組２６ｂを録画できなかった旨のメッセージをディスプレイ２３に表示させることによりユーザに報知してもよい。
【０１１６】
また、本実施形態に係る録画システム１、及びＴＶ受像機２によれば、録画予約番組２６ｂの録画先にＴＶ受像機２が選択されている場合に、ＴＶ受像機２に録画ができないとき、自動的に録画予約番組２６ｂをＢＤレコーダ３に録画させるため、録画予約番組２６ｂが録画できないことをより確実に防ぐことができる。また、録画予約番組２６ｂの録画先にＢＤレコーダ３が選択されている場合も同様に、ＴＶ受像機２に録画させるため、同様の効果が得られる。
【０１１７】
なお、本発明は、上記各実施形態の構成に限られず、発明の趣旨を変更しない範囲で種々の変形が可能である。例えば、上記各実施形態において、請求項に示す放送受信装置がＴＶ受像機である例を示したが、これに限られず、ＣＥＣコマンドを送信可能な放送受信装置であればよい。また、請求項に示す録画装置がＢＤレコーダである例を示したが、これに限られず、ＣＥＣコマンドを送受信可能であり、ＴＶ番組を録画できる録画装置であればよい。例えば、ＢＤレコーダが録画予約されたＴＶ番組を録画できないときに、ＢＤレコーダが＜Ｒｅｃｏｒｄ  Ｏｎ＞コマンドをＴＶ受像機に送信して、ＴＶ受像機に録画を行わせるものであってもよい。
【０１１８】
また、上記各実施形態において、ＴＶ受像機に複数のＢＤレコーダが接続されているときに、各ＢＤレコーダにどのようなジャンルのＴＶ番組を録画させるかを予め指定しておく。例えば、ＢＤレコーダＡにはドラマとスポーツの番組、ＢＤレコーダＢには映画の番組、ＢＤレコーダＣにはそれ以外の番組というように指定しておく。そして、ＴＶ受像機が、録画予約番組のジャンルに応じて、録画先のＢＤレコーダを自動的に設定して録画させるものであってもよい。
【符号の説明】
【０１１９】
２  ＴＶ受像機（放送受信装置）
３  ＢＤレコーダ（録画装置）
２０  制御部（送信制御手段、確認手段）
２０ｂ  録画処理部（録画手段）
２０ｅ  録画可否判断部（判断手段）
２０ｆ  放送開始時刻補正部（補正手段）
２０ｇ  メール送信部（報知手段）
２６  メモリ（記憶手段）
２８  ＨＤＤ（録画媒体）
３０  制御部（録画装置側の録画手段）
３０ｂ  録画処理部（録画装置側の録画手段）
３４  操作部（録画指示操作手段）
３６  ＨＤＭＩ通信部（受信手段）
【図１】
2014123828.tif 000003
【図２】
2014123828.tif 000004
【図３】
2014123828.tif 000005
【図４】
2014123828.tif 000006
【図５】
2014123828.tif 000007
【図６】
2014123828.tif 000008
【図７】
2014123828.tif 000009
【図８】
2014123828.tif 000010
【図９】
2014123828.tif 000011
【図１０】
2014123828.tif 000012
【図１１】
2014123828.tif 000013
【図１２】
2014123828.tif 000014
【図１３】
2014123828.tif 000015
【図１４】
2014123828.tif 000016
【図１５】
2014123828.tif 000017